(57)【特許請求の範囲】
【請求項１】
原稿載置面に載置された原稿の画像を読み取る画像読取装置であって、
前記原稿載置面に加えられた圧力及び圧力が加えられた位置を検出するセンサ部と、
前記センサ部の検出結果に基づいて前記原稿の載置状態を特定する特定部と、
前記原稿に光を照射する照射部と、
前記原稿で反射した光を受光する受光部と、
を備え、
前記照射部は、前記原稿の領域内において前記原稿載置面に前記圧力が加わっていない位置に対して照射する光の強度を大きくする、画像読取装置。
【請求項２】
前記原稿を前記原稿載置面との間で挟み、前記原稿載置面を覆うカバー部材をさらに備え、
前記センサ部は、前記カバー部材に加えられた圧力及び圧力が加えられた位置を検出する、請求項１に記載の画像読取装置。
【請求項３】
読み取られた画像を処理する画像処理部を備え、
前記特定部は、前記センサ部の検出結果に基づいて前記原稿の向きを特定し、
前記画像処理部は、特定された前記原稿の向きが所定の向きと異なる場合、前記画像の向きを前記所定の向きに補正する、
請求項１又は２に記載の画像読取装置。
【請求項４】
前記原稿の前記原稿載置面と反対側に配置され、明度を変更自在な反射材をさらに備え、
前記反射材は、前記原稿の領域を、他の領域よりも暗くする、
請求項１〜３のいずれかに記載の画像読取装置。
【請求項５】
前記反射材は、色彩を変更自在である、
請求項４に記載の画像読取装置。
【請求項６】
原稿載置面に載置された原稿の画像を読み取る画像読取装置に実行される画像読取プログラムであって、
前記原稿載置面に加えられた圧力及び圧力が加えられた位置を検出する検出ステップと、
前記検出ステップの検出結果に基づいて前記原稿の載置状態を特定する特定ステップと、
前記原稿の領域内において前記原稿載置面に前記圧力が加わっていない位置に対して照射する光の強度を大きくして前記原稿に光を照射する照射ステップと、
前記原稿で反射した光を受光する受光ステップと、
を有する画像読取プログラム。
【発明の詳細な説明】
【技術分野】
【０００１】
本発明は、原稿載置面に載置された原稿の画像を読み取る画像読取装置に関する。
【背景技術】
【０００２】
特許文献１に開示された画像読取装置は、ユーザの操作入力を受け付ける操作部と、表示部とを備えている。表示部は、原稿が載置される原稿載置面に位置合わせ用の目印を表示する。ユーザは、表示された目印に従って原稿載置面に原稿を載置する。そして、ユーザは、操作部に原稿のサイズを入力する。すると、特許文献１に開示された画像読取装置は、ユーザから入力された原稿サイズで、原稿載置面上の原稿の画像を読み取る。
【先行技術文献】
【特許文献】
【０００３】
【特許文献１】特開平５−４０３１７号公報
【発明の概要】
【発明が解決しようとする課題】
【０００４】
しかしながら、特許文献１の画像読取装置において、原稿は、原稿載置面に位置合わせ用の目印があったとしても、目印からずれて載置されることがある。特に、分厚い本は、見開きの状態で載置されると、ずれやすい。また、ユーザは、位置合わせ用の目印に従って原稿を載置したとしても、原稿サイズを誤って入力することがある。
【０００５】
また、分厚い本の見開きの中央部（背に対向する部分）は、浮き上がりやすい。この状態で読み取られた画像は、中央部が黒くなる。
【０００６】
そこで、本発明の目的は、上述の従来技術の問題のいずれかを解決することであり、具体的には、原稿の画像を適切に読み取ることができる画像読取装置及び画像読取装置に実行される画像読み取りプログラムを提供することにある。
【課題を解決するための手段】
【０００７】
原稿載置面において原稿が載置された領域には、圧力がかかる。換言すれば、その圧力が加わっている領域は、原稿が載置されている領域である。なお、圧力は、例えば、原稿自身の重さであるが、人間が原稿をカバー等で抑えた力を含むこともある。
【０００８】
そこで、本発明の画像読取装置は、センサ部を用いて、原稿載置面に加えられた圧力及び圧力が加えられた位置を検出する。そして、本発明の画像読取装置は、センサ部の検出結果に基づいて原稿の載置状態を特定する特定部を備える。
【０００９】
特定部は、圧力の有無を求めることで、原稿が載置されているか否かを特定する。特定部は、圧力が加わっている領域を求めることで、原稿の方向、及び原稿サイズを特定する。また、特定部は、所定方向において、圧力が加わっていない領域が、圧力が加わっている２つの領域に挟まれている場合、中央部が原稿載置面から浮き上がった見開きの本が載置されていると特定する。
【００１０】
本発明の画像読取装置は、特定した載置状態に応じて画像を読み取るので、適切に画像を読み取ることができる。
【００１１】
また、本発明の画像読取装置は、原稿を原稿載置面との間で挟み、原稿載置面を覆うカバー部材と、カバー部材に加えられた圧力及び圧力が加えられた位置を検出するセンサ部を備える。
【００１２】
すなわち、特定部は、カバー部材にかかる圧力の有無によって原稿が載置されているか否かを特定する。同様に、特定部は、カバー部材における圧力が加わっている領域を求めることで、原稿の方向及び原稿サイズも特定する。
【００１３】
また、画像読取装置は以下のように構成されることが望ましい。画像読取部は、原稿に光を照射する照射部と、原稿で反射した光を受光する受光部とを有する。照射部は、原稿の領域内において圧力が加わっていない位置に対して照射する光の強度を大きくする。
【００１４】
例えば、分厚い本の見開きの中央部が浮き上がると、当該領域において圧力はかからなくなる。そこで、照射部は、当該領域に照射する光の強度を大きくする。すると、受光部は、当該領域において原稿が原稿載置面から浮き上がっていても、適度な強度の反射光を受光する。
【００１５】
なお、本発明は、画像読取装置に限らず、画像読取装置に実行される画像読取プログラムであってもよい。
【発明の効果】
【００１６】
本発明によれば、原稿の画像を適切に読み取ることができる。
【図面の簡単な説明】
【００１７】
【図１】本発明の第１の実施形態に係る画像読取装置を備える画像形成装置の外観斜視図である。
【図２】（Ａ）は、同画像読取装置の圧電パネル及びスキャン部の断面図であり、（Ｂ）は、圧電パネルの平面図である。
【図３】同画像読取装置の構成の一部を示すブロック図である。
【図４】同画像形成装置の動作を示すフローチャートである。
【図５】（Ａ）は、原稿が載置された原稿載置面の模式図であり、（Ｂ）は、二次元圧力データを示す図である。
【図６】（Ａ）は、見開きの本の載置状態を示す図であり、（Ｂ）は、見開きの本が載置された時の原稿載置面に加わっている圧力を示す図である。
【図７】見開きの本が載置された時のＬＥＤへの出力電流値を示す図である。
【図８】実施形態２に係る画像読取装置の側面図である。
【図９】（Ａ）は、実施形態３に係る画像読取装置の側面図であり、（Ｂ）は、反射材の明度を示す原稿載置面の平面図である。
【発明を実施するための形態】
【００１８】
本発明の第１の実施形態に係る画像読取装置１００について図を参照して説明する。図１は、画像形成装置２００の外観斜視図である。図２（Ａ）は、圧電パネル１及びスキャン部１０の断面図である。図２（Ｂ）は、圧電パネル１の平面図である。
【００１９】
図１に示すように、画像形成装置２００は、画像読取装置１００と、画像形成部３０と、排紙トレイ３２と、給紙トレイ３４と、操作パネル３６とを備える。画像形成装置２００は、いわゆる多機能プリンタである。画像読取装置１００は、原稿載置面１０Ｓに載置された原稿の画像を読み取る。画像形成部３０は、操作パネル３６で受け付けた操作に基づいて給紙トレイ３４の用紙に画像読取装置１００が読み取った画像を形成する。画像が形成された用紙は、排紙トレイ３２に排出される。なお、画像形成部３０による画像形成は、電子写真方式又はインクジェット方式で行われる。
【００２０】
本実施形態に係る画像読取装置１００は、原稿の載置状態（原稿サイズ、原稿の方向、及び原稿の浮き上がり状態）を特定することで、原稿の画像を適切に読み取る。
【００２１】
図１に示すように、画像読取装置１００は、圧電パネル１と、スキャン部１０と、カバー部材２０と、を備えている。図２（Ａ）に示すように、スキャン部１０は、ガラス台１１と本体部１２と、を備えている。ガラス台１１の上方の主面は、原稿載置面１０Ｓである。本体部１２は、ガラス台１１の下方に配置されている。
【００２２】
スキャン部１０の本体部１２は、走査子１３と、複数のＬＥＤ１４と、反射鏡１５と、集光レンズ１６と、ＣＣＤ（Ｃｈａｒｇｅ−Ｃｏｕｐｌｅｄ  Ｄｅｖｉｃｅ）１７と、回路モジュール１８と、を備えている。複数のＬＥＤ１４は、照射部に対応する。ＣＣＤ１７は受光部に対応する。
【００２３】
走査子１３は、奥行方向に延びる形状である。複数のＬＥＤ１４は、奥行方向に配列された状態で走査子１３に取り付けられている。走査子１３と反射鏡１５は、幅方向に移動自在である。ただし、移動機構の説明は省略する。各ＬＥＤ１４は、上方に光を照射する。照射された光Ｌｂ１は、ガラス台１１を通過し、原稿載置面１０Ｓに載置された原稿で反射する。反射光は、ガラス台１１を通過し反射鏡１５に到達する。反射鏡１５でさらに反射した光Ｌｂ２は、集光レンズ１６に向かう。ＣＣＤ１７は、集光レンズ１６が集めた光を電気的信号に変換する。
【００２４】
図２（Ａ）に示すように、本実施形態では、圧電パネル１は、ガラス台１１と、本体部１２の間に配置されている。圧電パネル１は、平面視において、ガラス台１１を含んでいる。換言すれば、圧電パネル１は、平面視において、原稿載置面１０Ｓを含んでいる。圧電パネル１は、圧電フィルム２と、複数の線状電極３Ａ〜３Ｊと、複数の線状電極４Ａ〜４Ｆと、を備えている。圧電フィルム２は、圧電性樹脂からなる。圧電性樹脂としては、ポリフッ化ビニリデン（ＰＶＤＦ）、及びポリ乳酸（ＰＬＡ）を用いることができる。圧電性樹脂としてＰＬＡを用いれば、圧電フィルム２の透光性が高くなる（例えば光線透過率が９０％以上）。これにより、スキャン部１０が照射及び受光する光の通過は阻害されにくくなる。
【００２５】
また、ＰＬＡは、キラル高分子の配向によって圧電性を有するので、ＰＶＤＦのような焦電性が無い点においても優れる。従って、ＰＬＡからなる圧電フィルム２は、発熱しやすい画像形成部３０からの熱が伝わる場所に配置される構成として適している。さらに、ＰＬＡとしては、Ｌ型ポリ乳酸（ＰＬＬＡ）及びＤ型ポリ乳酸（ＰＤＬＡ）を用いることが望ましい。ＰＬＬＡ及びＰＤＬＡは、一軸延伸されているので、圧電定数が高められている。すなわち、ＰＬＬＡ及びＰＤＬＡを用いれば圧力の検出感度は高くなる。
【００２６】
さらに、ＰＬＡは、ＰＶＤＦのようなポーリング処理を不要とする。従って、圧電フィルム２の材料としてＰＬＡを用いれば、圧電パネル１を簡易に製造できる。
【００２７】
図２（Ａ）及び図２（Ｂ）に示すように、複数の線状電極３Ａ〜３Ｊは、圧電フィルム２の上方の主面に配置されている。各線状電極３Ａ〜３Ｊは、奥行方向に延びる形状である。各線状電極３Ａ〜３Ｊは、所定の間隔をあけて幅方向に沿って配列されている。各線状電極３Ａ〜３Ｊは例えば酸化インジウムスズ（ＩＴＯ）またはポリチオフェン系化合物（ＰＥＤＯＴ）からなる。これにより、各線状電極３Ａ〜３Ｊは、透光性が高くなっている（例えば光線透過率８０％以上）。
【００２８】
図２（Ａ）及び図２（Ｂ）に示すように、複数の線状電極４Ａ〜４Ｆは、圧電フィルム２の下方の主面に配置されている。各線状電極４Ａ〜４Ｆは、幅方向に延びる形状である。各線状電極４Ａ〜４Ｆは、所定の間隔をあけて奥行方向に沿って配列されている。これにより、図２（Ｂ）に示すように、線状電極３Ａ〜３Ｊ及び線状電極４Ａ〜４Ｆは、平面視すると、格子形状を呈する。各線状電極４Ａ〜４Ｆは例えばＩＴＯ及びＰＥＤＯＴからなる。これにより、各線状電極４Ａ〜４Ｆは、透光性が高くなっている（例えば光線透過率８０％以上）。
【００２９】
ただし、線状電極３Ａ〜３Ｊ及び線状電極４Ａ〜４Ｆの材料としてＩＴＯ及びＰＥＤＯＴを用いることは必須ではない。例えば、線状電極３Ａ〜３Ｊ及び線状電極４Ａ〜４Ｆの材料を銅または銀とし、線幅を５ミクロン程に細くすればスキャン部１０による画像読取に影響が出にくくなる。
【００３０】
また、実際の圧電パネル１は、図２（Ｂ）に示す例よりも、より多くの線状電極を圧電フィルム２の両主面に備えている。
【００３１】
また、実際には、線状電極３Ａ〜３Ｊ及び線状電極４Ａ〜４Ｆは、不図示の引出配線が接続されている。線状電極３Ａ〜３Ｊ及び線状電極４Ａ〜４Ｆは、引出配線によって回路モジュール１８に電気的に接続されている。
【００３２】
次に、図３は、画像読取装置１００の構成の一部を示すブロック図である。図３に示すように、画像読取装置１００は、圧力検出部１１０と、特定部１２０と、画像読取部１３０と、を備えている。これら機能部は、回路モジュール１８によって実現されるが、ＣＰＵがプログラムを実行することによって実現されても構わない。
【００３３】
圧力検出部１１０は、線状電極３Ａ〜３Ｊ及び線状電極４Ａ〜４Ｆに電気的に接続されている。圧力検出部１１０は、原稿載置面１０Ｓに圧力が加えられているか否かを検出する。圧力検出部１１０は、原稿載置面１０Ｓにおいて圧力が加えられている位置を検出する。圧力検出部１１０による検出結果は、特定部１２０へ出力される。圧力検出部１１０及び圧電パネル１は、本発明のセンサ部に対応する。
【００３４】
特定部１２０は、原稿載置面１０Ｓへの圧力の有無、及びその圧力が加わっている位置を、圧力検出部１１０から取得する。特定部１２０は、原稿載置面１０Ｓへの原稿の載置状態を特定する。特定された載置状態は、画像読取部１３０へ出力される。特定部１２０が特定する載置状態は、載置されている原稿の有無、原稿載置面１０Ｓにおける原稿の領域、及び原稿の浮き上がりを含む。原稿の領域は、原稿のサイズ及び原稿の方向を示す。具体的な特定方法については後述する。
【００３５】
画像読取部１３０は、複数のＬＥＤ１４と、ＣＣＤ１７とに電気的に接続されている。画像読取部１３０は、各ＬＥＤ１４に与える電流値を変化させることで、各ＬＥＤ１４からの光の照射を制御する。画像読取部１３０は、ＣＣＤ１７が出力した電気的信号をサンプリングすることで、画像データを生成する。画像データは、例えば、２階調のモノクロデータに限らず、１６ｂｉｔ階調のカラーデータである。また、画像読取部１３０は、複数のＬＥＤ１４が取り付けられた走査子１３及び反射鏡１５の幅方向の移動を制御する。ただし、走査子１３及び反射鏡１５の移動のための構成の説明は省略する。
【００３６】
画像読取部１３０は、特定部１２０が特定した原稿の載置状態を取得する。画像読取部１３０は、原稿の載置状態に基づいて、原稿の画像を読み取る。また、画像読取部１３０は、読み取られた画像を修正する画像処理部１３５を備えている。画像処理部１３５は、特定部１２０が特定した原稿の載置状態に基づいて、読み取られた画像を修正する。載置状態に基づいた原稿の読取及び画像の修正は、後述する。
【００３７】
画像処理部１３５が修正した画像データは、画像形成装置２００の画像形成部３０へ出力される。画像形成部３０は、当該画像データに基づいて用紙に画像を形成する。
【００３８】
ここで、原稿載置面１０Ｓに原稿が載置されると、原稿載置面１０Ｓには圧力が下方に加わる。その圧力は、ガラス台１１を介して圧電パネル１に伝わる。すると、圧電フィルム２には電荷が生じる。圧力検出部１１０は、線状電極３Ａ〜３Ｊ及び線状電極４Ａ〜４Ｆに伝わる出力電荷を求めることで、原稿載置面１０Ｓに圧力が加わっているか否かを検出する。また、圧力検出部１１０は、出力電荷が多い線状電極３Ａ〜３Ｊ及び線状電極４Ａ〜４Ｆの組み合わせを検出する。出力電荷が多い線状電極３Ａ〜３Ｊ及び線状電極４Ａ〜４Ｆの組み合わせは、圧力が加えられている位置に対応する。すなわち、圧力検出部１１０は、原稿載置面１０Ｓにおいて圧力が加えられている位置を検出する。
【００３９】
すると、画像読取装置１００は、図４に示すフローチャートに従って動作する。まず、特定部１２０は、原稿の領域を特定する（Ｓ１）。この動作の例について図５（Ａ）及び図５（Ｂ）を用いて説明する。図５（Ａ）は、原稿が載置されている原稿載置面１０Ｓの模式的な平面図である。図５（Ｂ）は、二次元圧力データを示す図である。図５（Ｂ）において、圧力が加わっている位置には黒丸が記されている。また、図５（Ｂ）は、説明のために、二次元座標において幅方向及び奥行方向の角を原点（０，０）と示している。
【００４０】
特定部１２０は、圧力検出部１１０からの検出結果を得ることで、二次元圧力データを生成する。各座標は、原稿載置面１０Ｓの各位置に対応する。そして、二次元圧力データでは、各座標の値は、圧力の有無（例えば０又は１）が入力されている。
【００４１】
特定部１２０は、二次元圧力データにおいて、幅方向に走査し、圧力が加わっている領域の幅方向の両端部を検出する。一方の端部は、エッジ部Ｅ４（ｗ４，ｄ４）となり、他方の端部は、エッジ部Ｅ２（ｗ２，ｄ２）となる。特定部１２０は、二次元圧力データにおいて、奥行方向に操作し、圧力が加わっている領域の奥行方向の両端部を検出する。一方の端部は、エッジ部Ｅ１（ｗ１，ｄ１）となり、他方の端部は、エッジ部Ｅ３（ｗ３，ｄ３）となる。これにより、特定部１２０は、図５（Ｂ）に示すように、略矩形状の領域ＤＲ１を原稿の領域として特定する。
【００４２】
次に、特定部１２０は、原稿のサイズを特定し（Ｓ２）、原稿の方向を特定する（Ｓ３）。具体的には、特定部１２０は、図５（Ｂ）に示す例において、各エッジ部間の距離を平方定理で求める。これにより、長さＬ１〜Ｌ４が求められる。特定部１２０は、長さＬ１及び長さＬ３の平均値ＤＷと、長さＬ２及び長さＬ４の平均値ＤＤとを算出する。特定部１２０は、縦横が平均値ＤＤ及び平均値ＤＷからなる原稿のサイズを特定する（Ｓ２）。ここで、特定部１２０は、特定したサイズが、規定サイズ（例えばＪＩＳ規格のＡ４サイズ等）と一致しない場合、特定したサイズより大きな規定サイズ（例えばＪＩＳ規格のＢ４サイズ）を原稿のサイズとして特定する。これにより、画像読取装置１００は、原稿の浮き上がり及び捲り上がり等によって圧力が加わっている領域ＤＲ１が実際の原稿の領域より小さくなったとしても、原稿サイズが誤って小さく特定されることを防止する。
【００４３】
次に、特定部１２０は、平均値ＤＷと、平均値ＤＤとを比較する。図５（Ｂ）に示す例では、長さＬ１及び長さＬ３の平均値ＤＷは、長さＬ２及び長さＬ４の平均値ＤＤより大きい。従って、特定部１２０は、長さＬ１に対応するエッジ部Ｅ４からエッジ部Ｅ３に向かう方向を、原稿の方向として特定する（Ｓ３）。この原稿の方向は、長さＬ３に対応するエッジ部Ｅ１からエッジ部Ｅ２に向かう方向であってもよい。なお、原稿のサイズ及び方向の特定方法は各種従来技術を利用することができるので上述の方法に限らない。
【００４４】
そして、画像読取部１３０は、特定された原稿サイズ及び原稿の方向に基づいてスキャン領域を決定する（Ｓ４）。例えば、画像読取部１３０は、幅方向において、エッジ部Ｅ４からエッジ部Ｅ２までの範囲をスキャン領域として決定する。また、画像読取部１３０は、奥行方向において、エッジ部Ｅ１からエッジ部Ｅ３までの範囲をスキャン領域として決定してもよい。さらに、画像読取部１３０は、幅方向及び奥行方向の両方で所定の範囲に制限した領域をスキャン領域として決定してもよい。
【００４５】
そして、画像読取部１３０は、決定したスキャン領域においてスキャン処理を行う（Ｓ５）。すなわち、画像読取部１３０は、スキャン領域に応じた範囲で走査子１３を移動させつつ、当該スキャン領域に対応するＬＥＤ１４から光を照射させる。そして、画像読取部１３０は、ＣＣＤ１７が変換した電気的信号をサンプリングすることで、スキャン領域の大きさの画像データを生成する。
【００４６】
次に、画像処理部１３５は、画像を回転させる画像処理を行う（Ｓ６）。この画像回転処理は、回転行列などの各種従来技術のアルゴリズムによって行われる。回転角度は、ステップＳ３において求めた原稿の方向に基づいて決定される。ステップＳ５で読み取られた画像データは、この画像処理により、長手方向が幅方向又は奥行き方向に沿うように修正される。
【００４７】
なお、画像処理部１３５は、ステップＳ３において、特定された原稿の方向が幅方向又は奥行方向に沿っている場合、ステップＳ６の処理を行わない。すなわち、ステップＳ６の処理は本実施形態において必須ではない。
【００４８】
ステップＳ６において画像読取の処理は終了するが、その後、ステップＳ７に示すように、画像形成部３０は、修正後の画像データに基づいて用紙に画像を形成する画像形成処理を行う。ただし、画像形成処理は本実施形態に必須ではない。また、画像形成装置２００は、ステップＳ７の画像形成処理に代えて修正後の画像データをＦＡＸ送信したり、表示部（不図示）に修正後の画像を表示したりする態様であっても構わない。
【００４９】
以上のように、本実施形態に係る画像読取装置１００は、原稿のサイズの操作入力なしに、原稿のサイズに応じた大きさの画像を読み取ることができる。また、本実施形態に係る画像読取装置１００は、原稿の長手方向が幅方向又は奥行方向から傾いて載置されていても、傾きを修整した画像を読み取ることができる。
【００５０】
また、本実施形態に係る画像読取装置１００は、原稿載置面１０Ｓから浮き上がった原稿に対しても適切に画像を読み取ることができる。原稿載置面１０Ｓから浮き上がった原稿の画像の読取の例について図６（Ａ）及び図６（Ｂ）を用いて説明する。図６（Ａ）は、浮き上がった見開きの本を示す側面図である。図６（Ｂ）は、見開きの本が載置された時の原稿載置面に加わっている圧力の大きさを示す図である。
【００５１】
図６（Ａ）に示すように、本９００が幅方向に見開かれた状態で原稿載置面１０Ｓに載置されると、幅方向の両端部の領域Ｒ１では、原稿載置面１０Ｓに圧力が加わる。その２つの領域Ｒ１に挟まれる中央領域Ｒ２では、原稿載置面１０Ｓに圧力が加わらない。また、圧力が加わる領域Ｒ１において、領域Ｒ３に係る圧力は、本９００が部分的に浮き上がっているので、領域Ｒ４に係る圧力よりも小さくなっている。
【００５２】
そこで、圧力検出部１１０は、圧力の有無だけでなく、圧力の大きさも検出する。圧力の大きさは、線状電極３Ａ〜３Ｊ及び線状電極４Ａ〜４Ｆからの出力電荷の量に対応する。
【００５３】
特定部１２０は、図６（Ｂ）に示すように、本９００の領域ＤＲ２において、圧力の有無及び大きさが異なる領域Ｒ１〜Ｒ４を特定する。そして、画像読取部１３０は、領域Ｒ１〜Ｒ４毎に、各ＬＥＤに与える電流値を制御する。具体的には、図７に示すように、画像読取部１３０は、圧力が加わっていない領域Ｒ２では、各ＬＥＤ１４へ与える電流値を最も高い電流値ＩＬ３にする。画像読取部１３０は、最も大きい圧力が加わっている領域Ｒ４では、各ＬＥＤ１４へ与える電流値を最も小さい電流値ＩＬ１にする。画像読取部１３０は、圧力が加わっている領域Ｒ３では、各ＬＥＤ１４へ与える電流値を電流値ＩＬ２にする。ただし、電流値ＩＬ２は、電流値ＩＬ１より大きく、かつ電流値ＩＬ３より小さい。これにより、画像読取部１３０は、見開きの本９００が浮き上がっている領域Ｒ２において反射光が弱くなることを防止することができる。また、画像読取部１３０は、見開きの本が部分的に浮き上がっている領域Ｒ３においても反射光が弱くなることを防止することができる。すなわち、画像読取部１３０は、領域Ｒ１〜Ｒ４において均一な強度の反射光を得ることができる。
【００５４】
ただし、画像読取部１３０は、圧力の有無だけで各ＬＥＤ１４に与える電流値を変化させてもよい。例えば、画像読取部１３０は、圧力が加わっていない領域Ｒ２では各ＬＥＤ１４への出力電流値を、圧力が加わっている領域Ｒ１における出力電流値よりも大きくするだけであってもよい。
【００５５】
また、画像読取装置１００は、各ＬＥＤ１４に与える電流値を変化させるのではなく、画像処理を行うことで、本９００の見開きの適切な画像を読み取ってもよい。例えば、画像処理部１３５は、画像読取部１３０が生成した画像データのうち、原稿載置面１０Ｓから浮き上がっている領域Ｒ２に対応する画素の明度を上げる。これにより、画像読取装置１００は、領域Ｒ２に対応する部分が黒くなることを防ぐことができる。また、この際、画像処理部１３５は、明度の調整だけでなく、コントラストを調整してもよい。さらに、画像処理部１３５が明度及びコントラストを調整し、画像読取部１３０が各ＬＥＤ１４に与える電流値を調整する態様であってもよい。
【００５６】
次に、実施形態２に係る画像読取装置１００Ａについて図を参照しつつ説明する。図８は、画像読取装置１００Ａの側面図である。画像読取装置１００Ａは、圧電パネル１がカバー部材２０側に配置されている点において、実施形態１に係る画像読取装置１００と相違する。
【００５７】
カバー部材２０は、ヒンジ部２２の幅方向に延びる軸を中心に回動自在である。カバー２０は、奥行方向においてヒンジ部２２と反対側の端部が下方に回動すると、原稿載置面１０Ｓを覆う。すると、原稿載置面１０Ｓに載置された原稿は、圧電パネル１とガラス台１１とで挟まれる。その結果、圧電パネル１には、原稿載置面１０Ｓに載置された原稿から上方へ圧力が加えられる。特定部１２０は、カバー部材２０側に配置された圧電パネル１において圧力が加えられた領域を原稿の領域として特定する。
【００５８】
以上のように、画像読取装置１００Ａは、圧電パネル１がカバー部材２０側に配置されていても原稿載置面１０Ｓに載置された原稿の画像を適切に読み取ることができる。
【００５９】
なお、圧電パネル１は、カバー部材２０側に配置される場合、透光性を有していなくてもよい。さらに、画像読取装置１００Ａは、原稿からの圧力及びその位置を検出する構成をカバー部材２０側に備える場合、圧電パネル１に代えて複数の圧電体を用いてもよいし、複数のプッシュ式スイッチを備えてもよい。
【００６０】
また、カバー部材は、以下のように構成されてもよい。図９（Ａ）は、実施形態３に係る画像読取装置１００Ｂの側面図である。図９（Ｂ）は、反射材２５の明度を説明するための原稿載置面１０Ｓの平面図である。
【００６１】
本実施形態に係る画像読取装置１００Ｂは、カバー部材２０Ｂの反射材２５が領域毎に明度を変化させることで、画像読取の際の裏写りを防止するものである。
【００６２】
図９（Ａ）に示すように、反射材２５は、カバー部材２０の下方の主面に配置されている。反射材２５として、例えば電子ペーパー、メモリ液晶パネル、及び有機ＥＬパネルを用いる。反射材２５は、白色であるが、スキャン処理時に領域毎に明度が変化する。
【００６３】
具体的には、画像読取部１３０は、原稿の領域ＤＲ１に対向する領域において反射材２５の明度を低くした状態で、スキャン処理を行う。これにより、原稿の裏面（上方の面）に記された文字は画像データとして読み取られにくくなる。ただし、当該文字は、原稿の下地よりも低い明度（例えば黒色）で記されているものとする。
【００６４】
また、反射材２５は、明度に加えて色彩を変更してもよい。例えば、画像読取部１３０は、原稿の領域ＤＲ１に対向する領域において、反射材２５の色彩を赤くする。これにより、原稿の裏面に記された赤色文字は、画像データとして読み取られにくくなる。なお、原稿の裏面の文字色は、例えば、操作パネル３６で設定入力を受け付けることで求められる。
【００６５】
上述の技術的特徴は、組み合わせることが可能である。例えば、実施形態２及び３の技術的特徴を組み合わせることで、カバー部材２０側に圧電パネル１と反射板２５を備えた画像読取装置を実現してもよい。
【００６６】
また、上述の例は、圧力検出部１１０、特定部１２０、及び画像読取部１３０がハードウェアであったが、これら機能部は、ソフトウェアで実現されてもよい。
【符号の説明】
【００６７】
１…圧電パネル
２…圧電フィルム
３Ａ〜３Ｊ、４Ａ〜４Ｆ…各線状電極
１０…スキャン部
１０Ｓ…原稿載置面
１１…ガラス台
１２…本体部
１３…走査子
１４…ＬＥＤ
１５…反射鏡
１６…集光レンズ
１７…ＣＣＤ
１７…集光レンズ
１８…回路モジュール
２０…カバー部材
２０Ｂ…カバー部材
２２…ヒンジ部
３０…画像形成部
３２…排紙トレイ
３４…給紙トレイ
３６…操作パネル
８０…光線透過率
１００…画像読取装置
１００Ａ…画像読取装置
１００Ｂ…画像読取装置
１１０…圧力検出部
１２０…特定部
１３０…画像読取部
１３５…画像処理部
２００…画像形成装置
９００…本
【図１】
0006575319.tif 000002
【図２】
0006575319.tif 000003
【図３】
0006575319.tif 000004
【図４】
0006575319.tif 000005
【図５】
0006575319.tif 000006
【図６】
0006575319.tif 000007
【図７】
0006575319.tif 000008
【図８】
0006575319.tif 000009
【図９】
0006575319.tif 000010